Podtech/llm-jp-corpus-v4-ja_patent huggingface dataset:
(57)【要約】【課題】シュー生地に帯状に切り分けたパイ生地を巻きつけ、焼成して作る複合菓子を極めて簡単に製造する方法を目的とする。【解決手段】クッキングシートに絞り出したシュー生地を冷凍することで、固化する為、極めて簡単にシュー生地にパイ生地を満遍なく巻いた、複合菓子を製造することが出来る。【選択図】図１
2020022419.tif 000002
【特許請求の範囲】
【請求項１】
シュー生地を冷凍固化する工程と、前記冷凍固化したシュー生地に帯状のパイ生地を巻きつける工程と、前記冷凍固化したシュー生地にパイ生地を巻きつけたものを焼成する工程を有する複合菓子の製造方法。
【請求項２】
前記帯状のパイ生地を巻き付ける工程において、
前記冷凍固化した棒状又はドーナツ状のシュー生地に帯状のパイ生地を長手側に巻き付け、更に、その上に交差する帯状のパイ生地をらせん状に巻きつけた後、前記らせん状に巻いたパイ生地を、最初に巻きつけた帯状のパイ生地に沿って浅く切り込みを入れてなる事を特徴とする請求項１記載の複合菓子の製造方法。
【請求項３】
冷凍固化した棒状又はドーナツ状のシュー生地に適当なサイズに切り分けたパイ生地を巻きつけ、焼成することを特徴とする複合菓子。
【発明の詳細な説明】
【技術分野】
【０００１】本発明は複合菓子及びその製造方法に関するものである。
【背景技術】
【０００２】複合菓子の一つであるパイシュークリームはフランス菓子の一つである。このパイシュークリームをつくる場合においては、牛乳、油脂類を配合して加熱、沸騰させ、その後加熱をやめるか、または弱くして前記油脂類に小麦粉等を加えて、混合し更に木ベラなどで攪拌しながら、全卵を加えて混合流動状のシュークリーム皮生地を作り、冷めないうちにシュークリーム皮生地を絞り袋に収容して鉄板上に厚さ２ミリ程に延ばしシュークリームを包む大きさにカットしたパイ生地の上に絞り出し、シュー生地を下から包み込み約１９０度に予熱したオーブンで３０分程焼き上げ、その後冷まし、内部にできた空洞に、冷やした生クリームやカスタードクリーム、餡子などを入れたものである。
【先行技術文献】
【特許文献】
【０００３】
【特許文献１】特開１９９８−０６６５０２号  公報
【特許文献２】特開２００２−２７２３６０号  公報
【発明の概要】
【発明が解決しようとする課題】
【０００４】以上に述べた従来のパイシュークリームの製造方法としては、例えば特許文献１と特許文献２のようにパイ生地をシュー生地の上に乗せる又はシュー生地にパイ生地を下から包み込む方法しかなくシュー生地全体に帯状のパイ生地を巻くことが出来なかった。【０００５】本発明は、従来の製造方法では作れなかった問題を解決しようとするものであり、帯状のパイ生地を冷凍固化したシュー生地に満遍なく容易に巻きつけ、その後１９０℃程に余熱したオーブンで焼き上げ、中にカスタードクリームなどを入れ、全体的にパイのサクサクとした食感を与えられるようにして品質の向上を図る事を目的とする複合菓子及びその製造方法である。
【課題を解決するための手段】
【０００６】本発明は上記目的を達成するために、シュー生地を冷凍固化する工程と前記冷凍固化したシュー生地に帯状のパイ生地を巻きつける工程と前記冷凍固化したシュー生地にパイ生地を巻きつけたものを焼成する工程を有する複合菓子の製造方法とする（請求項１）。【０００７】また、本発明は上記目的を達成するために、冷凍固化した棒状又はドーナツ状のシュー生地に適当なサイズに切り分けたパイ生地を巻きつけ焼成することを特徴とする複合菓子とする（請求項３）。
【発明の効果】
【０００８】上述したように本発明の複合菓子は従来の製造方法と比較してあらゆる形状のシュー生地にも適当なサイズに切り分けたパイ生地を満遍なく巻くことが出来る。【０００９】満遍なく巻くことによって、従来のパイ生地をシュー生地の上に乗せて焼成する又はシュー生地を下から包み込み焼成する製造方法では得られなかった、どこから食べてもパイのサクサクとした食感と味と、シュークリームのもっちりとした食感と味を両方感じられる。また、冷凍固化したシュー生地に帯状のパイ生地を巻くことが出来るため、従来の製造方法では出来なかったあらゆる方向から巻くことが出来る。その結果、今までにない形状のパイシュークリームが出来る。
【図面の簡単な説明】
【００１０】
【図１】棒状又はドーナツ状のシュー生地に帯状のパイ生地を巻いていく工程図である。
【図２】本発明の棒状の複合菓子を斜め上から見た外観図と断面図である。
【図３】本発明のドーナツ状の複合菓子の断面図である。
【発明を実施するための形態】
【００１１】以下添付図面に基づいて本発明の実施の形態を説明する。  図１に示すように本発明の実施の形態に係るパイ菓子を含む複合菓子の製造方法は以下の工程からなる。
【００１２】（１）シュー生地を冷凍固化する。
牛乳、油脂類を配合して加熱、沸騰させ、その後加熱をやめるか、又は弱くして前記油脂類に小麦粉等を加えて混合し更に木べらなどで撹拌しながら、全卵を加えて混合流動状のシュー皮生地を作り、冷めないうちにシュー皮生地を絞り袋に収容して例えば図１に示すようにクッキングシート１にシュー皮生地を棒状２又はドーナツ状３に絞り出す。
次に冷凍工程について以下に説明する。
上記のシュー皮生地を冷凍して冷凍シュー皮生地４又は５を作成するために、例えば冷凍庫において、通常は−１８℃以下に冷凍する。しかし、通常冷凍は風味や味が落ちやすいので−３０℃〜−４０℃近くの強い冷風で凍結させる急速冷凍が好ましい。
【００１３】（２）冷凍固化したシュー生地に帯状のパイ生地を巻きつける。
図１に示すようにパイ生地６を厚さｄに伸ばし、巾ｗに切り分ける。ｄは２ｍｍ〜３ｍｍ、ｗは１ｃｍ〜３ｃｍが好ましい。
図１の７は冷凍固化した棒状のシュー生地に帯状に切り分けたパイ生地６を長手側に巻きつけた図である。図１の８は長手側巻きつけたパイ生地６の上に交差する帯状のパイ生地６をらせん状に巻いた図である。ただし、巻きつける形状はそれに限定するものではない。図１の９は前記らせん状に巻いたパイ生地６を最初に巻きつけた帯状のパイ生地６に沿って膨らむように浅く切り込みを入れた図である。
【００１４】（３）冷凍固化したシュー生地にパイ生地を巻きつけたものを焼成する。
図２は棒状に冷凍固化したシュー生地に、パイ生地を満遍なく巻いて焼成した複合菓子の外観図と断面図である。シュー生地１０が膨らんで出来た空洞１１の中にカスタードクリーム、アイスクリーム、ホイップクリームなどを入れる。
図３はドーナツ状に冷凍固化したシュー生地にパイ生地を満遍なく巻いて焼成した複合菓子の断面図である。
【符号の説明】
【００１５】１  クッキングシート
２  棒状に絞ったシュー皮生地
３  ドーナツ状に絞ったシュー皮生地
４  冷凍固化した棒状シュー生地
５  冷凍固化したドーナツ状シュー生地
６  帯状に切り分けたパイ生地
７  冷凍固化したシュー生地に長手側にパイ生地を巻いた図
８  長手側に巻いたシュー生地にらせん状にパイ生地を巻いた図
９  らせん状に巻いたパイ生地に切り込み（太線）を入れた図
１０  シュー生地
１１  空洞
【図１】
2020022419.tif 000003
【図２】
2020022419.tif 000004
【図３】
2020022419.tif 000005
(57)【要約】【課題】  浴室既設のシャワーフックに掛着したシャワーヘッドの散水域は身体前方に集中し、洗髪の際は身体をかがめて頭を散水域に突っ込まなければならない。本発明は、シャワー散水域中心が頭上に来るアーム型シャワーフックを提供する。【解決手段】  略Ｌ型を成す二片から成るアーム体であり、浴室壁面に設置された既設シャワーフックに掛着部を掛着されて壁面に平行に上方に伸びる掛止片と、掛止片の上端部から壁に背いて離れる形で掛止片に直交的に伸びるシャワーヘッド保持片から成り、保持片先端部には、蝶ナット・ボルトで、固定・回動可能式の回動フックが設けてあり、この回動フックにシャワーヘッドを装着して、全身にバブルシャワーを浴びることを特徴とするアーム型シャワーフック。【選択図】図２
2020033859.tif 000002
【特許請求の範囲】
【請求項１】
略Ｌ型を成す二片から成るアーム体であって、浴室壁面に設置された既設シャワーフックに根元一帯を掛着されて壁面に平行に上方に伸びる掛止片と、掛止片の上端部から壁に背いて離れる形で掛止片に直交的に伸びるシャワーヘッド保持片から成り、シャワーヘッド保持片先端部には、蝶ナット・ボルトで、固定・回動可能式の回動フックが設けてあり、この回動フックにシャワーヘッドを装着して、壁に邪魔されず、頭から、横から、前から、背から、全身に自由にバブルシャワーを浴びることを特徴とするアーム型シャワーフック。
【請求項２】
掛止片の根元一帯の掛着部は、既設シャワーフックに挟み込まれる形で上から装入し上へ装脱し易い様に、シャワーヘッドのフック挿入部と同じテーパーが形成してあることを特徴とする、請求項１に記載のアーム型シャワーフック。
【発明の詳細な説明】
【技術分野】
【０００１】  本発明は、浴室でのシャワー使用に際し、壁からせめて３０ｃｍ前後程離れた位置にシャワーヘッドを保持し、散水域を拡げ、身体全体にシャワーを浴びやすくするために、浴室壁面に設置されている既設のシャワーフックに挿脱式に根元を掛着されて、先端部でシャワーヘッドを保持するところの略Ｌ型アーム体に関するものである。
【背景技術】
【０００２】  浴室壁面の既設フックに掛着されたシャワーヘッドのバブル散水口は、前頭頂部に向き動かすことが出来無い為、散水域は身体前方へ集中してしまう。
なお、略Ｌ型の塑性変形性線状材の一方に、既設のシャワーフックに根元を掛着する挿しこみ部を設け、もう一方の先頭部にシャワーヘッドを装着するフック部を設け、壁面から遠ざけた位置のフック部にシャワーヘッドを装着し、散水域を移動した発明が知られている（特許文献１参照）。
【先行技術文献】
【特許文献】
【０００３】
【特許文献１】特開２０１１−０８０３４４号公報
【発明の概要】
【発明が解決しようとする課題】
【０００４】    浴室壁面の既設フックに掛着したシャワーヘッドの散水域は、身体前方に集中しており、背中など全身にくまなく浴びさせるには、壁面に身体を近づかせてバブル散水口の真下にゆくか、身体の向きを変える等しなければならない。
例えば、椅子に座った状態で頭を洗い流す時など、バブル散水口の下に首を突っ込むようにして窮屈な体勢になってしまう。
特許文献１に示される先行技術は、挿しこみ部の形状が既設のシャワーフックに回動不可的に嵌合して動かす事ができず、
フック部も固定的に設けられ、装着したシャワーヘッドの散水域が思い通りにならない。
また、使用後も壁面に添わせる事が出来ず、突き出た状態のままで邪魔になる。
本発明は、以上の問題点を解決するためになされたものである。
【課題を解決するための手段】
【０００５】  浴室壁面に設置された既設シャワーフックに根元一帯を掛着されて壁面に平行に約２０ｃｍ前後上方に伸びて掛止片を成し、そこから壁に背いて離れる形で掛止片に直交的に約３０ｃｍ前後伸びてシャワーヘッド保持片を成している略Ｌ型アーム体であって、根元一帯の掛着部は、既設シャワーフックに挟み込まれる形で上から装入し上へ装脱し易い様に、シャワーヘッド根元のフック挿入部と同じテーパーが形成してあり、シャワーヘッド保持片先端部には、蝶ナット・ボルトで、固定・回動可能式の回動フックが設けてあり、この回動フックにシャワーヘッドを装着して、壁に邪魔されず、頭から、横から、前から、背から、全身に自由にバブルシャワーを浴びることが出来る。
以上を特徴とするアーム型シャワーフックである。
【発明の効果】
【０００６】  シャワーヘッドが壁から離れているので、バブル散水口の真下に身体を置き、頭頂部から身体全体をカバーするようにバブルシャワーを浴びる事が出来る。
シャワーヘッドを装着する回動フックは、シャワーヘッド保持片の水平直交方向即ち横腹中央に直交して設けられ、上下自在に回動を成し、バブル散水口は自在に向きを変え、シャワーヘッドの下へ無理して身体を持ってゆくことなく、そのままの体勢で、固定・回動可能式の蝶ナット・ボルトの調節を成し、その都度シャワーヘッドの散水域を自由に変えながらくまなく即ち思い通りの部位に集中して散水が出来る。
また、使用後にシャワーヘッド保持片を回動し壁面に添わせ接地させておけば出張らず邪魔にならない。
【図面の簡単な説明】
【０００７】
【図１】本発明の斜視図
【図２】本発明の使用状態を示すイメージ図
【図３】本発明の使用状態を示すイメージ図
【発明を実施するための形態】
【０００８】  以下、浴室壁面の既設シャワーフック（５）に掛止した状態で本発明の実施の形態を説明する。
図２で示すように、既設シャワーフック（５）に根元一帯を掛着されて壁面に平行に約２０ｃｍ前後上方に伸びて掛止片（１）を成し、
そこから壁に背いて離れる形で掛止片（１）に直交的に約３０ｃｍ前後伸びてシャワーヘッド保持片（２）が形成を成している略Ｌ型アーム体であって、
根元一帯の掛着部（３）は、既設シャワーフック（５）に挟み込まれる形で上から装入し上へ装脱し易い様に、シャワーヘッド（７）根元のフック挿入部（８）と同じテーパーが形成してある。
シャワーヘッド保持片（２）先端部において、図１で示すように、水平方向直交的に回動フック（４）が、蝶ナット・ボルト（６）で固定・回動可能式に設けてあり、
図３で示すように、この回動フック（４）にシャワーヘッド（７）を装着して、壁に邪魔されず、頭から、横から、前から、背から、全身に自由にバブル散水口（９）からシャワーを浴びる事が出来る。
以上が本発明の構造である。
本発明を使用する時は、
図２で示すように、掛着部（３）を既設シャワーフック（５）に掛止し、
シャワーヘッド（７）のフック挿入部（８）を回動フック（４）に挿入する。
このようにしてから、図３で示すように、シャワーヘッド（７）の向き、角度を決めて、蝶ナット・ボルト（６）を締めつけて回動フック（４）をシャワーヘッド保持片（２）に固定しても良い。
また、蝶ナット・ボルト（６）を緩めて、バブル散水口（９）の角度・向きをその都度手を添えて変えながら身体の望みの部位に散水しても良いのである。
【符号の説明】
【０００９】  １  掛止片、２  シャワーヘッド保持片、３  掛着部、４  回動フック、
５  既設シャワーフック、６  蝶ナット・ボルト、７  シャワーヘッド、
８  フック挿入部、９  バブル散水口
【図１】
2020033859.tif 000003
【図２】
2020033859.tif 000004
【図３】
2020033859.tif 000005
(57)【要約】【課題】従来の封筒は封をハサミ等で切って開けるとき、内部の書類を誤って切断することがあった。【解決手段】封筒の本体１に内フタ３を、外フタ２の折り目より内フタ３の折り目が封筒の内側になるように設ける。内部に書類５を入れ、まず内フタ３を折り曲げ、書類が外フタ２の方向に移動しないようにする。このとき、内フタ３は糊等で接着しない。次に、外フタ２を通常通り接着する。切り取り線を、内フタ３の折り目と外フタ２の折り目の間に設ける。封筒を開けるため、ハサミ等で切り取り線の位置で封筒を切断するとき、切り取り線が、内フタ３の折り目と外フタ２の折り目の間にあるため、書類を切断することはない。【選択図】図１
2020033098.tif 000002
【特許請求の範囲】
【請求項１】
封筒の内部に内フタを装着し、内フタの折り目が封筒本来のフタの折り目より内側に位置するように設定した封筒。
【発明の詳細な説明】
【技術分野】
【０００１】  本発明は、封筒を開けるとき、内部の書類を誤って切断することを防止する封筒に関するものである。
【背景技術】
【０００２】  従来の封筒はフタの折り目の位置が一か所であった。
【発明の概要】
【発明が解決しようとする課題】
【０００３】  従来の封筒は封をハサミ等で切って開けるとき、内部の書類を誤って切断することがあるという欠点があった。本発明は、この課題を解消するためになされたものである。
【課題を解決するための手段】
【０００４】  本明細書では従来の封筒のフタを外フタ２、内部に装着するフタを内フタ３という。上記課題を解決するために、本発明による書類誤切断防止用内フタ付き封筒は従来の封筒の本体１に内フタ３を装着したものである。内フタ３の折り目を外フタ２の折り目より封筒の内側に設定し、この２つの折り目の間に切り取り線６を設ける。
【発明の効果】
【０００５】  切り取り線６に沿ってハサミ等で封筒を切断するとき、誤って内部の書類５を切断することを防止することができる。
【図面の簡単な説明】
【０００６】
【図１】  本発明に書類を入れ内フタを折った斜視図
【図２】  本発明の斜視図
【図３】  本発明に書類を入れた斜視図
【図４】  本発明の外フタを折った斜視図
【図５】  本発明の封筒の表側の面の図
【図６】  本発明の内フタを装着する前の展開図
【図７】  本発明の内フタの図
【図８】  本発明の内フタを装着した図
【図９】  本発明の封筒の片側の側面を折り曲げた図
【図１０】  本発明の封筒の両側の側面を接着した図
【図１１】  本発明の封筒の底の部分を接着した図
【図１２】  本発明の断面図
【発明を実施するための形態】
【０００７】  以下、本発明の実施の形態について説明する。
【０００８】  封筒の本体１に内フタ３を、外フタ２の折り目より内フタ３の折り目が封筒の内側になるように接着する。のりしろ７および封筒の底の部分を接着する。
【０００９】  書類５を中に入れ、内フタ３を折り曲げ、書類５が内フタ３から外フタ２の方向に移動しないようにする。このとき、内フタ３は糊等で接着しない。
【００１０】  外フタ２を封筒の本体１に接着する。
【００１１】  封筒を開けるとき、ハサミ等で切り取り線６で封筒を切断する。このとき、切り取り線６が、内フタ３の折り目と外フタ２の折り目の間にあるため、書類を切断することはない。
【符号の説明】
【００１２】  １  封筒の本体
２  外フタ
３  内フタ
４  内フタの紙の封筒本体と接着する部分
５  書類
６  切り取り線
７  のりしろ
８  接着剤
【図１】
2020033098.tif 000003
【図２】
2020033098.tif 000004
【図３】
2020033098.tif 000005
【図４】
2020033098.tif 000006
【図５】
2020033098.tif 000007
【図６】
2020033098.tif 000008
【図７】
2020033098.tif 000009
【図８】
2020033098.tif 000010
【図９】
2020033098.tif 000011
【図１０】
2020033098.tif 000012
【図１１】
2020033098.tif 000013
【図１２】
2020033098.tif 000014
(57)【要約】【課題】開口のティッシュ箱にティッシュカバーをかぶせてティッシュにほこりがつかないようにする。【解決手段】ティッシュカバーの下の面積をティッシュ箱よりある程度大きくする。【選択図】図１
2020033100.tif 000002
【特許請求の範囲】
【請求項１】
下の面積をティッシュ箱よりある程度大きくして開口のティッシュ箱にかぶせたときティッシュに触れない大きさのティッシュカバー
【発明の詳細な説明】
【技術分野】
【０００１】本案はティッシュにほこりがつかないようにしたものである。
【背景技術】
【０００２】従来はティッシュへのほこり防止具はなく、ティッシュはティッシュ箱から出たままである。
【先行技術文献】
【特許文献】
【０００３】
【特許文献１】
【発明の概要】
【発明が解決しようとする課題】
【０００４】ティッシュ箱から出たままのティッシュにほこりがつかないようにする。
【課題を解決するための手段】
【０００５】ティッシュが出ているティッシュ箱よりある程度大きくしたティッシュカバーをかぶせる。
【発明の効果】
【０００６】ほこりのついていないティッシュを使うことができる。
【図面の簡単な説明】
【０００７】
【図１】ティッシュ箱に本案のティッシュカバーをかぶせた状態の斜視図である。
【発明を実施するための形態】
【０００８】本案の出願人は平成３０年８月２８日のティッシュカバーの出願人久留米忠彦と同一人である。
本案も開口したティッシュ箱（２）から出ているティッシュ（３）にほこりがつかないようにしたものである。本案はティッシュカバー（１）をティッシュ箱（２）の上に直にかぶせるものではなく、ティッシュカバー（１）の下の面積をティッシュ箱（２）の面積よりもある程度大きくしてかぶせるものである。深さは開口したティッシュ箱（２）から出ているティッシュ（３）に触れないようにする。本案はティッシュ箱（２）にかぶせてもティッシュ箱（２）の置いてある面によっては密閉状態ではなくなるかもしれないので小さい虫などは防ぐことはできないが、利点としてはティッシュカバー（１）をある程度大きくしているのでかぶせるのが容易である。
本案は、ティッシュカバー（１）の形はこれに限らずいろいろな形にしてもよく、色柄も自由である。無地で形だけを作り、絵をかいたり色を塗ったりは使う本人に任せてもよい。
【符号の説明】
【０００９】  １  ティッシュカバー
２  ティッシュ箱
３  ティッシュ
４  取って
【図１】
2020033100.tif 000003
(57)【要約】【課題】ティッシュ箱にティッシュカバーをかぶせてティッシュにほこりがつかないようにする。【解決手段】ティッシュカバーをティッシュ箱にかぶせたときティッシュに触れないような大きさとし、そしてティッシュ箱との接合面がずれないようにする。【選択図】図２
2020033099.tif 000002
【特許請求の範囲】
【請求項１】
下部の周囲にガイド部（２）を設け、開口したティッシュ箱（３）にかぶせたときティッシュに触れない大きさのティッシュカバー（１）
【請求項２】
ガイド部（２）の内側にティッシュにふれないようなずれ防止を設けたティッシュカバー（１）
【請求項３】
ティッシュ箱（３）に重ねて接着するときティッシュ箱（３）の方だけは容易に着脱できるようにしたティッシュカバー
【請求項４】
請求項３に於いてガイド部（２）やずれ防止を併用したティッシュカバー（１）
【発明の詳細な説明】
【技術分野】
【０００１】本案はティッシュにほこりがつかないようにしたものである。
【背景技術】
【０００２】従来はティッシュのほこり防止具はなくティッシュ箱から露出したままである。
【先行技術文献】
【特許文献】
【０００３】
【特許文献１】
【発明の概要】
【発明が解決しようとする課題】
【０００４】ティッシュ箱から露出したティッシュにほこりがつかないようにする。
【課題を解決するための手段】
【０００５】開口したティッシュ箱の上にティッシュに触れないような大きさのティッシュカバーをする。
【発明の効果】
【０００６】ほこりのつかないティッシュを使うことができる。
【図面の簡単な説明】
【０００７】
【図１】下部にガイドを設けた本案の斜視図である。
【図２】本案のティッシュカバーを開口したティッシュ箱の上にかぶせた状態の斜視図である。
【図３】本案の当て板の斜視図である。
【図４】本案のティッシュカバーに当て板を設けて開口したティッシュ箱の上にかぶせた状態の斜視図である。
【図５】本案のティッシュカバーの四角に設けたへこみ部の拡大斜視図である。
【図６】本案のティッシュカバーの四角に設けた当て部の拡大斜視図である。
【図７】本案のガイドやずれ防止を設けないティッシュカバーを開口したティッシュ箱に重ねて連結した状態の斜視図である。
【発明を実施するための形態】
【０００８】本案の出願人は平成３０年８月２４日のティッシュ入れの出願人久留米忠彦と同一人である。
本案は上記の案と同じく開口したティッシュ箱（３）のティッシュにほこりがつかないようにしたものであるがティッシュ箱（３）を容器に入れるのではなく、開口したティッシュ箱（３）に直にティッシュカバー（１）をかぶせるものである。ティッシュカバー（１）の下の面積はティッシュ箱（３）と同じ程度として深さはティッシュ箱（３）から出ているティッシュに触れないようにする。ティッシュカバー（１）をかぶせるときティッシュ箱（３）からずれなくするために下部の周囲を末広がり状にしてガイド部（２）とする。ティッシュカバー（１）はガイド部（２）によってティッシュ箱（３）の四角に案内されてかぶせやすくなる。しかしこれだけでは人によってはティッシュカバー（１）が斜めになってずれ落ちるかもしれないのでずれ防止として当て板（４）やへこみ部（５）や当て部（６）を設ける。当て板（４）はティッシュカバー（１）のガイド部（２）の内側の周囲に設けてティッシュ箱（３）の上面周囲に重なるのでティッシュに触れないように巾の細い四角の板状にする。へこみ部（５）はガイド部（２）の上端と少し上に切り込みを入れて内側へへこませてティッシュ箱（３）に重なるようにする。また、切り込みは入れずに内側の四角にへこみ部（５）と同じところに当て部（６）を設けてもよい。また、より容易に重ねやすくするためにガイド部（２）やずれ防止だけでなくティッシュカバー（１）をティッシュ箱（３）に重ねて一面だけをテープなどで接着したり他の方法で繋いだりして連結部（７）を設けて外側へ折れるようにしてもよい。この場合ティッシュカバー（１）は長期に使うのではがれないように強い接着などのもので固着して、ティッシュ箱（３）の方は使い終わる度にテープをはがすので弱い接着力のものを用い、先端部ははがしやすいようにする。また、この方法は上記のガイド部（２）やずれ防止を併用してもよい。本案のティッシュカバー（１）は重ねるとある程度密閉に近い状態になるのでほこりだけでなく小さな虫なども防げて衛生的である。
【符号の説明】
【０００９】    １ティッシュカバー
２ガイド部
３ティッシュ箱
４当て板
５へこみ部
６当て部
７連結部
【図１】
2020033099.tif 000003
【図２】
2020033099.tif 000004
【図３】
2020033099.tif 000005
【図４】
2020033099.tif 000006
【図５】
2020033099.tif 000007
【図６】
2020033099.tif 000008
【図７】
2020033099.tif 000009